(57)【要約】【課題】本発明は、少ない消費電力で高品質な画像を表示させることのできる表示装置を提供する。【解決手段】前面の画面に画像を表示する液晶セル２０と、バックライトユニット４０と、リアフレーム５０と、リアフレーム５０に対して固定されるフロントキャビネット１０と、バックライトユニットの周縁部を前面側から押さえるセルガイド３０と、を備え、バックライトユニット４０は、ＬＥＤバー４６と、側方から内部に導入したＬＥＤバー４６の光を液晶セル２０の背面側に照射する導光板４４と、導光板４４の前面側に配置される光学シート４１〜４３と、導光板４４における光源側の端部と、光学シート４１〜４３における光源側の端部との間に配置され、かつ、光源からの光を反射するリフレクタ４７と、を有し、リフレクタ４７と導光板４４との間の面の少なくとも一部には、光源からの光を吸収する吸収処理が施されている。【選択図】図３Ｂ
2015040920.tif 000002
【特許請求の範囲】
【請求項１】
前面の画面に画像を表示する表示パネルと、
前記表示パネルの背面側に向けて光を照射するバックライトユニットと、を備え、
前記バックライトユニットは、
光源と、
前記光源からの光を側方から内部に導入し、かつ、内部に導入した光を前記表示パネルの背面側に向けて照射する導光板と、
前記導光板の前面側に配置される光学シートと、
前記導光板における前記光源側の端部と、前記光学シートにおける前記光源側の端部との間に配置され、かつ、前記光源からの光を反射する第一反射部材と、を有し、
前記第一反射部材と前記導光板との間の面の少なくとも一部には、前記光源からの光を吸収する吸収処理が施されている
表示装置。
【請求項２】
前記第一反射部材は、前記導光板における前記光源側の端部と前記光学シートにおける前記光源側の端部との間の位置から、少なくとも前記光源の前方の位置までにわたって配置されている
請求項１に記載の表示装置。
【請求項３】
さらに、
前記バックライトユニットの周縁部を前面側から押さえる支持部材を備え、
前記第一反射部材は、その前記画面中央側の端部が、前面視において、前記支持部材の前記画面中央側の端部から前記光学シートの前記光源側の端部との間に位置するように、配置されている
請求項２に記載の表示装置。
【請求項４】
前記光源は、前記導光板の端部に沿って所定の方向に並んで配置される複数の点光源を有し、
前記第一反射部材と前記導光板との間の面では、前記吸収処理が施されている吸収処理領域と、前記吸収処理が施されていない非吸収処理領域とが前記所定の方向に交互に並んでおり、
前記吸収処理領域は、前記複数の点光源のそれぞれの位置に対応する位置を含む領域である
請求項１から３のいずれか１項に記載の表示装置。
【請求項５】
前記光源は、ＣＯＢ（Ｃｈｉｐ  Ｏｎ  Ｂｏｒｄ）型のＬＥＤ（Ｌｉｇｈｔ  Ｅｍｉｔｔｉｎｇ  Ｄｉｏｄｅ）である
請求項４に記載の表示装置。
【請求項６】
前記吸収処理は、前記第一反射部材の背面側の面に施されている
請求項１から５のいずれか１項に記載の表示装置。
【請求項７】
前記吸収処理は、前記導光板の前面側に施されている
請求項１から５のいずれか１項に記載の表示装置。
【請求項８】
さらに、
前記導光板および前記光源の間における背面側に設けられ、前面が反射特性を有する第二反射部材を備える
請求項１から７のいずれか１項に記載の表示装置。
【発明の詳細な説明】
【技術分野】
【０００１】
本発明は、エッジライト型のバックライトユニットを利用した表示装置に関する。
【背景技術】
【０００２】
従来、エッジライト型のバックライトユニットを利用する表示装置がある（例えば、特許文献１参照）。
【先行技術文献】
【特許文献】
【０００３】
【特許文献１】特開２００４−１２７９１８号公報
【発明の概要】
【発明が解決しようとする課題】
【０００４】
このような表示装置において、省エネルギー性の観点から、導光板に導入される光の光源で消費される電力を低減するために、導光板に導入される光源を導光板の片側のみに配置したり、点光源であるＬＥＤ（Ｌｉｇｈｔ  Ｅｍｉｔｔｉｎｇ  Ｄｉｏｄｅ）を複数利用したりすることが求められている。しかしながら、表示装置を上記のような構成にする場合、表示パネルの背面側にバックライトユニットから照射される光の光量が画面の領域毎に異なってしまうことにより、表示パネルには、品質の低い画像が表示されてしまうという問題がある。
【０００５】
そこで、本発明は、このような状況に鑑みてなされたものであり、少ない消費電力で高品質な画像を表示させることのできる表示装置を提供することを目的とする。
【課題を解決するための手段】
【０００６】
上記目的を達成するために、前面の画面に画像を表示する表示パネルと、前記表示パネルの背面側に向けて光を照射するバックライトユニットと、を備え、前記バックライトユニットは、光源と、前記光源からの光を側方から内部に導入し、かつ、内部に導入した光を前記表示パネルの背面側に向けて照射する導光板と、前記導光板の前面側に配置される光学シートと、前記導光板における前記光源側の端部と、前記光学シートにおける前記光源側の端部との間に配置され、かつ、前記光源からの光を反射する第一反射部材と、を有し、前記第一反射部材と前記導光板との間の面の少なくとも一部には、前記光源からの光を吸収する吸収処理が施されている。
【０００７】
本態様によれば、第一反射部材と導光板との間の面の少なくとも一部には、光源からの光を吸収する吸収処理が施されているため、例えば、導光板の片側のみに光源が配置される場合、複数のＬＥＤを光源として利用している場合など、導光板から表示パネルの背面側に照射される光の光量が表示パネルの領域毎に偏ることを低減させるように調整することができる。このため、少ない消費電力で極力高品質な画像を表示させることができる。
【０００８】
また、例えば、前記第一反射部材は、前記導光板における前記光源側の端部と前記光学シートにおける前記光源側の端部との間の位置から、少なくとも前記光源の前方の位置までにわたって配置されていてもよい。
【０００９】
本態様によれば、第一反射部材は、光学シートにおける光源側の端部の位置から光源の前方の位置までにわたって配置されているため、光源から照射された光が光学シートの端部に到達することを防ぐことができる。このため、光源から照射された光により光学シートの端部が光ることを防ぐことができ、バックライトユニットから表示パネルの背面に向けて照射される光にムラが生じることを防ぐことができる。
【００１０】
また、例えば、さらに、前記バックライトユニットの周縁部を前面側から押さえる支持部材を備え、前記第一反射部材は、その前記画面中央側の端部が、前面視において、前記支持部材の前記画面中央側の端部から前記光学シートの前記光源側の端部との間に位置するように、配置されていてもよい。
【００１１】
本態様によれば、第一反射部材の画面中央側の端部が、支持部材の画面中央側の端部よりも画面の外側に配置されることになるため、バックライトユニットの前面において光が放出される面積を少なくとも第一反射部材により狭めることを防ぐことができる。つまり、バックライトユニットの前面の面積に対する、導光板の前面から光が放出される領域の面積の割合を最大化することができるため、バックライトユニットを極力コンパクトにすることができる。
【００１２】
また、例えば、前記光源は、前記導光板の端部に沿って所定の方向に並んで配置される複数の点光源を有し、前記第一反射部材と前記導光板との間の面では、前記吸収処理が施されている吸収処理領域と、前記吸収処理が施されていない非吸収処理領域とが前記所定の方向に交互に並んでおり、前記吸収処理領域は、前記複数の点光源のそれぞれの位置に対応する位置を含む領域であってもよい。
【００１３】
本態様によれば、第一反射部材および導光板の間の面における、複数の点光源に最も近い位置を含む領域には、吸収処理が施されており、複数の点光源の間の領域では、吸収処理が施されていないため、光源からの光のムラを低減することができる。このため、複数の点光源を有する光源であっても、ホットスポットの発生を低減させることができる。
【００１４】
また、例えば、前記光源は、ＣＯＢ（Ｃｈｉｐ  Ｏｎ  Ｂｏｒｄ）型のＬＥＤ（Ｌｉｇｈｔ  Ｅｍｉｔｔｉｎｇ  Ｄｉｏｄｅ）であってもよい。
【００１５】
本態様によれば、ＣＯＢ型のＬＥＤのような、パッケージ型のＬＥＤよりも広配光特性を有する点光源を利用した場合であっても、導光板と光学シートとの間に配置された反射部材により光を反射させることができるため、光源からの光を効率よく導光板に導入させることができる。また、前方から視た場合に、各ＬＥＤチップから照射される光の配光角がパッケージ型のＬＥＤよりも広いため、ミキシング領域を小さくすることができる。このため、パッケージ型のＬＥＤを採用するよりも、狭額縁構造を実現することができる。
【００１６】
また、例えば、前記吸収処理は、前記第一反射部材の背面側の面に施されていてもよい。
【００１７】
本態様によれば、第一反射部材の背面側の面で吸収処理が施されているため、導光板から前方に向かって放出された光を吸収処理がされた領域では反射せずに吸収させることができる。これにより、導光板に導入される光の光量を領域毎に調整することができ、導光板から放出される光の調整を自由に設定することができる。
【００１８】
また、例えば、前記吸収処理は、前記導光板の前面側に施されていてもよい。
【００１９】
本態様によれば、導光板の前面側の面で吸収処理が施されているため、導光板から前方に向かって放出された光を吸収処理がされた領域では反射せずに吸収させることができる。これにより、導光板に導入される光の光量を領域毎に調整することができ、導光板から放出される光の調整を自由に設定することができる。
【００２０】
また、例えば、さらに、前記導光板および前記光源の間における背面側に設けられ、前面が反射特性を有する第二反射部材を備えてもよい。
【００２１】
本態様によれば、第二反射部材が導光板および光源の間における背面側に設けられるため、光源から照射される光をより効率よく導光板に導入させることができる。このため、少ない消費電力で多くの光量の光を導光板に導入させることができる。
【発明の効果】
【００２２】
本発明の一態様に係る表示装置によれば、少ない消費電力で高品質な画像を表示させることができる。
【図面の簡単な説明】
【００２３】
【図１】実施の形態１に係る表示装置の外観を示す図である。
【図２】実施の形態１に係る表示装置を分解した状態を示す分解斜視図である。
【図３Ａ】図１中のＡ−Ａ線により切断した表示装置の左側の拡大断面図である。
【図３Ｂ】図１中のＡ−Ａ線により切断した表示装置の右側の拡大断面図である。
【図４】ＬＥＤバーに設けられる複数のＬＥＤとリフレクタの背面側に施される吸収処理領域との関係を説明するための図である。
【図５】ＬＥＤバーから導光板に照射される光の配光について説明するための図である。
【図６】実施の形態２に係る、図１中のＡ−Ａ線により切断した表示装置の右側の拡大断面図である。
【発明を実施するための形態】
【００２４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
＜表示装置の全体構成＞
まず、図１、図２、図３Ａおよび図３Ｂを参照しながら、実施の形態１に係る表示装置の全体構成について説明する。なお、これらの図では、Ｘ軸方向を左右方向として示しており、Ｙ軸方向を上下方向として示しており、Ｚ軸方向を前後方向として示している。つまり、Ｘ軸プラス方向側を右方向とし、Ｘ軸マイナス方向側を左方向とし、Ｙ軸プラス方向側を上方向とし、Ｙ軸マイナス方向側を下方向とし、Ｚ軸プラス方向側を前方向とし、Ｚ軸マイナス方向側を後方向とする。ただし、使用態様によってはＸ軸方向、Ｙ軸方向、およびＺ軸方向がそれぞれ左右方向、上下方向、および前後方向にならない場合も考えられるため、これらに限定されない。なお、これは、他の図でも同様である。
【００２６】
図１は、実施の形態１に係る表示装置の外観を示す図である。図２は、実施の形態１に係る表示装置を分解した状態を示す分解斜視図である。図３Ａは、図１中のＡ−Ａ線により切断した表示装置の左側の拡大断面図である。図３Ｂは、図１中のＡ−Ａ線により切断した表示装置の右側の拡大断面図である。
【００２７】
図１、図２、図３Ａおよび図３Ｂに示すように、本実施の形態１に係る表示装置１００は、筐体４を備えた液晶テレビジョン受像機である。筐体４は、枠状部材としてのフロントキャビネット１０および背面部材としてのリアフレーム５０が相互に組み合わされることにより構成されている。
【００２８】
フロントキャビネット１０は、枠状に構成されており、後述する表示パネルとしての液晶セル２０の外周部を覆っている。つまり、フロントキャビネット１０は、液晶セル２０の周縁部を前面側からクッション部材７１（後述参照）を介して押さえ、かつ、リアフレーム５０に対して固定される。具体的には、図３Ａおよび図３Ｂに示すように、フロントキャビネット１０の左右両端に設けられ、後方に向かって延びるフック部１１を、リアフレーム５０に設けられている開口部５１に嵌合させることによりフロントキャビネット１０をリアフレーム５０に対して固定する。つまり、本実施の形態では、フロントキャビネット１０およびリアフレーム５０は、フック部１１および開口部５１から成るスナップフィットにより固定されている。なお、フロントキャビネット１０は、例えば樹脂で形成されている。
【００２９】
リアフレーム５０は、液晶セル２０の背面側を覆うようにして配置されている。なお、リアフレーム５０は、例えば樹脂で形成されている。リアフレーム５０の外面における中央部には、リアカバー６が取り付けられている。リアカバー６の内部には、液晶セル２０等に対して電力を供給するための電源基板等（図示せず）が配置されている。リアカバー６の下端部には、筐体４を下方より支持するためのスタンド１２が取り付けられている。なお、リアカバー６にはスタンド１２が取り付けられていなくてもよい。また、リアカバー６は、例えば樹脂で形成されている。
【００３０】
図２、図３Ａおよび図３Ｂに示すように、筐体４の内部には、液晶セル２０、セルガイド３０、バックライトユニット４０が配置されている。
【００３１】
液晶セル２０は、外形が矩形状の表示パネルであり、例えば、１９２０×１０８０の解像度で画像を表示することが可能な液晶表示パネルである。液晶セル２０は、複数の画素（例えば１９２０×１０８０の画素）のそれぞれにおいて設けられる赤色、緑色および青色のカラーフィルタ（図示しない）のそれぞれについて、バックライトユニット４０から照射された光の透過量を調整することにより複数の画素毎に所望の色を再現する装置である。つまり、液晶セル２０は、複数の画素のそれぞれにおいて所望の色を再現することにより、前面の画面に所望の画像を表示させることができる。
【００３２】
バックライトユニット４０は、複数の光学シート４１〜４３と、導光板４４と、反射シート４５と、光源としてのＬＥＤ（Ｌｉｇｈｔ  Ｅｍｉｔｔｉｎｇ  Ｄｉｏｄｅ）バー４６と、第一反射部材としてのリフレクタ４７とにより構成される。
【００３３】
複数の光学シート４１〜４３は、導光板４４の前面側に配置される。複数の光学シート４１〜４３は、例えば、導光板４４の前面から照射された光を拡散して均一化する拡散シート、均一化された光を液晶セル２０に対して効率よく照射させるための集光シート等を含む。
【００３４】
導光板４４は、光源からの光を内部に導入し、かつ、内部に導入した光を液晶セル２０の背面側に向けて照射する、液晶セル２０の形状に対応した形状の板状部材である。導光板４４は、側方から導入された光が液晶セル２０の背面の全体に向けて照射されるように、当該光を反射する。なお、図３Ａおよび図３Ｂに示すように、複数の光学シート４１〜４３および導光板４４のそれぞれは、その全ての外周縁が、セルガイド３０と重なっている状態（積層状態）で配置されている。
【００３５】
ＬＥＤバー４６は、長尺板状部材４６ｂの主面に複数のＬＥＤ４６ａがその長手方向に沿って一列に所定の間隔を空けて並んで配置されることにより構成される。ＬＥＤバー４６は、図３Ｂに示すように、導光板４４の右側に配置され、左側、つまり導光板４４の右側面に向けて光を照射する。つまり、ＬＥＤバー４６は、導光板４４の右側の端部に沿ってＹ軸方向に並んで配置される複数の点光源としてのＬＥＤ４６ａを有する。
【００３６】
なお、本実施の形態１において、ＬＥＤ４６ａは、パッケージ型のＬＥＤである。これにより、ＬＥＤ４６ａのＬＥＤチップにより発光された光を効率よく導光板４４の右側面に照射することができる。
【００３７】
また、図３Ｂに示すように、リアフレーム５０の右側には、ＬＥＤバー４６を配置するためのヒートシンク８０が設けられている。ヒートシンク８０は、断面がＬ字型の金属製部材であり、Ｙ−Ｚ平面に平行な第一ヒートシンク８０ａと、Ｘ−Ｙ平面に平行な第二ヒートシンク８０ｂとにより構成される。第一ヒートシンク８０ａは、リアフレーム５０の内部の右端に配置される。また、第二ヒートシンク８０ｂは、リアフレーム５０に形成されておりリアフレーム５０の背面側の面から前方に延びるリブ５２の上端に接するように配置される。つまり、ヒートシンク８０は、リアフレーム５０の内部において右後側の端部に配置される。そして、ＬＥＤバー４６は、長尺板状部材４６ｂが第一ヒートシンク８０ａに沿って配置される。このように、ＬＥＤバー４６は、ヒートシンク８０に接した状態で配置されるため、ＬＥＤバー４６で発生した熱を効率よく放熱させることができる。
【００３８】
また、ＬＥＤバー４６の左方には、導光板４４の右端の前後方向の位置決めをするためのスペーサ８１が第二ヒートシンク８０ｂおよびＬＥＤバー４６の長尺板状部材４６ｂのＬＥＤ４６ａよりも後方の部分と接した状態で設けられている。導光板４４は、反射シート４５を介して、スペーサ８１によりＬＥＤバー４６のＬＥＤ４６ａの光軸に合致する位置に配置されることになる。なお、スペーサ８１の前面側の表面は、反射特性を有していてもよい。つまり、スペーサ８１は、第二反射部材として機能してもよい。この場合、スペーサ８１は、導光板４４およびＬＥＤバー４６の間における背面側に反射特性を有する面が設けられることになる。
【００３９】
リフレクタ４７は、導光板４４におけるＬＥＤバー４６側の端部と、複数の光学シート４１〜４３におけるＬＥＤバー４６側の端部との間に配置され、かつ、ＬＥＤバー４６からの光を導光板４４に向けて反射する。また、リフレクタ４７は、導光板４４におけるＬＥＤバー４６側の端部と複数の光学シート４１〜４３におけるＬＥＤバー４６側の端部との間の第一位置Ｐ１から、少なくともＬＥＤバー４６の前方の第二位置Ｐ２までにわたって配置されている。また、リフレクタ４７は、その画面中央側の端部が、前面視においてセルガイド３０の画面中央側の端部から複数の光学シート４１〜４３のＬＥＤバー４６側の端部との間に位置するように、配置されている。
【００４０】
セルガイド３０は、液晶セル２０とバックライトユニット４０との間に設けられ、バックライトユニット４０の周縁部の少なくとも一部を前面側から押さえる例えばＳＥＣＣ（Ｓｔｅｅｌ  Ｅｌｅｃｔｒｉｃａｌｌｙ  Ｃｈｒｏｍａｔｅ  Ｃｏａｔｅｄ：電気亜鉛メッキ綱）などの金属製の部材である。また、セルガイドは、ＳＥＣＣに限らずに、アルミニウムまたはアルミニウム合金、銅または銅合金、ステンレス鋼などで構成されてもよい。セルガイド３０は、本実施の形態では、バックライトユニット４０の周縁部である４辺を前面側から押さえる部材である。
【００４１】
また、セルガイド３０は、液晶セル２０と接する位置に配置され、かつ、液晶セル２０の表面を保護する第一保護部材としてのクッション部材７２と、バックライトユニット４０に接する位置に配置され、かつ、バックライトユニット４０の表面を保護するクッション部材７３とを有する。つまり、クッション部材７２は、液晶セル２０の表面における領域であって、セルガイド３０が液晶セル２０とＺ軸方向視において重なる領域を保護する。また、クッション部材７３は、バックライトユニット４０の表面における領域であって、セルガイド３０がバックライトユニット４０とＺ軸方向視において重なる領域を保護する。また、クッション部材７２、７３は、例えば、樹脂（ポリウレタンなど）を発泡させることで形成される多孔質で弾性を有する部材である。なお、フロントキャビネット１０に設けられるクッション部材７１もクッション部材７２、７３と同様の材料から構成される。なお、第一保護部材および第二保護部材は、上記のようなクッション部材７２、７３に限らずに、例えばシリコーン系の樹脂、ウレタン系の樹脂などを含むシーリング材を利用してもよい。シーリング材を第一保護部材および第二保護部材として利用する場合には、組み立て工程において、シーリング材を機械によってセルガイド３０に塗布することができるため、組立効率を向上させることができる。つまり、クッション部材７１〜７３は、液晶セル２０の表面またはバックライトユニット４０の表面を保護できる、樹脂（ゴム状の物質を含む）からなる弾性部材である。
【００４２】
図４は、ＬＥＤバーに設けられる複数のＬＥＤとリフレクタの背面側に施される吸収処理領域との関係を説明するための図である。図４に示すように、リフレクタ４７の背面側の面では、ＬＥＤバー４６からの光を吸収する吸収処理が施されている。具体的には、リフレクタ４７の背面側の面では、吸収処理が施されている吸収処理領域４７ａと、吸収処理が施されていない非吸収処理領域４７ｂとがＹ軸方向に交互に並んでいる。そして、吸収処理領域４７ａは、複数のＬＥＤ４６ａのそれぞれの位置に対応する位置を含む領域である。なお、ここでいう「吸収処理」とは、例えば、黒色の塗料を塗布する処理、黒色のテープを表面に貼る処理などである。また、非吸収処理領域４７ｂは、表面が反射特性を有するリフレクタ４７の表面に対して表面処理されていないため、反射特性（散乱特性を含む）を有する。
【００４３】
（特徴）
（１）
本実施の形態１に係る表示装置１００によれば、次に挙げる２つの問題を解決できる。
【００４４】
１つは、バックライトユニット４０のように、矩形板状の導光板４４の４辺のうちの１辺の側方から光を照射する構成であれば、導光板４４から表示パネルの背面側に照射される光は、光源が配置されている側の１辺側の領域とその他の３辺側の領域とで光量が異なりやすいという問題である。
【００４５】
もう１つは、光源が導光板４４の１辺に平行な方向に並ぶ複数の点光源（つまりＬＥＤバー４６）で構成される場合には、複数の点光源が配置される領域と、それらの間の領域とで光量が異なりやすいという問題である。
【００４６】
このように表示装置の構成が原因で画面の領域毎に光量に差が生じることにより、表示パネルには、品質が低い画像が表示される場合がある。
【００４７】
一方で、１つ目の問題に対しては、導光板の両側の対称な位置に光源を配置すれば、問題を解決できるが、表示装置の画面の大きさが小さい場合には導光板の両側に光源を配置しなくても十分に明るくできるため、導光板の片側に光源を配置することが求められている。また、省エネ性の観点からも、導光板の片側に光源を配置することが求められている。
【００４８】
また、２つ目の問題に対しては、導光板の１辺に平行な線光源（例えばＣＣＦＬ（Ｃｏｌｄ  Ｃａｔｈｏｄｅ  Ｆｌｕｏｒｅｓｃｅｎｔ  Ｌａｍｐ：冷陰極蛍光ランプ））を光源として採用すれば、問題を解決できるが、省エネ性の観点から複数のＬＥＤを採用することが求められている。
【００４９】
本実施の形態１に係る表示装置１００では、リフレクタ４７の背面側の面において、ＬＥＤバー４６からの光を吸収する吸収処理が施されている。このため、導光板４４の片側のみにＬＥＤバー４６が配置される構成であっても、ＬＥＤバー４６が配置されない側での導光板４４により照射される光の量と、ＬＥＤバー４６が配置される側での導光板４４により照射される光の量とが同等になるように吸収領域を調整することにより、領域毎における光量を調整することができる。
【００５０】
また、本実施の形態１に係る表示装置１００では、リフレクタ４７背面側の面において、複数のＬＥＤ４６ａに最も近い位置を含む領域では、吸収処理が施されており、複数のＬＥＤ４６ａの間の領域では、吸収処理が施されていないため、複数のＬＥＤ４６ａからの光のムラを低減することができる。このため、複数のＬＥＤ４６ａを有する光源であっても、特定の領域の光量が大きくなっているホットスポットの発生を低減させることができる。
【００５１】
上記のように、表示装置１００では、導光板４４から液晶セル２０の背面側に照射される光の光量が液晶セル２０の領域毎に偏ることを低減させるように調整することができる。このため、少ない消費電力で極力高品質な画像を表示させることができる。
【００５２】
（２）
図５は、ＬＥＤバーから導光板に照射される光の配光について説明するための図である。一般的に、所定の方向に一列に複数のＬＥＤ４６ａが並んで配置されるＬＥＤバー４６の場合には、複数のＬＥＤ４６ａから照射される光の配光は、図５に示すように、複数のＬＥＤ４６ａの間において、左側に頂点Ｐ１１を有する三角形のＬＥＤ４６ａからの光が照射されない（または、十分に照射されにくい）暗所領域Ｓ１が発生する。つまり、導光板４４は、右側の端部から暗所領域Ｓ１の頂点Ｐ１１までの間の領域であって、複数のＬＥＤ４６ａの光が十分に混ざり合っていないミキシング領域Ｚ１と、ミキシング領域Ｚ１よりも左側の領域であって、複数のＬＥＤ４６ａの光が混ざり合って輝度が均一化されている輝度均一化領域Ｚ２とに分類される。なお、暗所領域Ｓ１は、ＬＥＤ４６ａの配光角θと複数のＬＥＤ４６ａの間隔ｄ１とにより、その形状が定まる。
【００５３】
つまり、ＬＥＤ４６ａの配光角θが小さいほど、暗所領域Ｓ１の頂点Ｐ１１は左に移動するため、ミキシング領域Ｚ１は大きくなる。また、複数のＬＥＤ４６ａの間隔ｄ１が大きいほど、暗所領域Ｓ１の頂点Ｐ１１は左に移動するため、ミキシング領域Ｚ１は大きくなる。反対に、ＬＥＤ４６ａの配光角θが大きいほど、暗所領域Ｓ１の頂点Ｐ１１は右に移動するため、ミキシング領域Ｚ１は小さくなる。また、複数のＬＥＤ４６ａの間隔ｄ１が小さいほど、暗所領域Ｓ１の頂点Ｐ１１は右に移動するため、ミキシング領域Ｚ１は大きくなる。つまり、配光角θの大きいＬＥＤを採用する、または、間隔ｄ１を小さくする（つまりＬＥＤ４６ａの数を増やす）ほど、ミキシング領域Ｚ１を小さくすることができ、その結果、バックライトユニット４０の前面の面積におけるミキシング領域Ｚ１の割合を小さくできるため、狭額縁構造を実現することができる。
【００５４】
ここで、リフレクタ４７が設けられない構成の場合には、光源から光学シートにおける光源側の端部までの間でミキシング領域Ｚ１が収まるように構成しなければ、明暗のムラを有する光が光学シートの端部に届いた場合に、特定の領域における光量が他の領域における光量よりも多くなっているホットスポットが発生する。このため、ミキシング領域Ｚ１よりも左側に光学シートの端部を設定する必要がある。しかしながら、本実施の形態１に係る表示装置１００では、リフレクタ４７は、複数の光学シート４１〜４３におけるＬＥＤバー４６側の端部の第一位置Ｐ１からＬＥＤバー４６の前方の第二位置Ｐ２までにわたって配置されているため、ＬＥＤバー４６から照射された光が複数の光学シート４１〜４３の端部に到達することを防ぐことができる。このため、ＬＥＤバー４６から照射された光により複数の光学シート４１〜４３の端部が光ることを防ぐことができ、バックライトユニット４０から液晶セル２０の背面に向けて照射される光にムラが生じることを防ぐことができる。
【００５５】
特に、表示装置１００のように光源が複数の点光源により構成される場合には、光源から照射された光が、複数の光学シート４１〜４３の端部に到達すればホットスポットとして強調されてしまい、液晶セル２０に表示される画像の品質を低下させる原因になる。しかしながら、表示装置１００のように、リフレクタ４７が複数の光学シート４１〜４３と導光板４４との間に配置され、かつ、複数の光学シート４１〜４３におけるＬＥＤバー４６側の端部の第一位置Ｐ１からＬＥＤバー４６の前方の第二位置Ｐ２までにわたって配置されている構成を採用することにより、このようなホットスポットの発生を防ぐことができる。
【００５６】
（３）
本実施の形態１に係る表示装置１００によれば、リフレクタ４７の画面中央側の端部が、セルガイド３０の画面中央側の端部よりも画面の外側に配置されることになるため、バックライトユニット４０の前面において光が放出される面積を少なくともリフレクタ４７により狭めることを防ぐことができる。つまり、バックライトユニット４０の前面の面積に対する、導光板４４の前面から光が放出される領域の面積の割合を最大化することができるため、バックライトユニット４０を極力コンパクトにすることができる。
【００５７】
（４）
本実施の形態１に係る表示装置１００によれば、リフレクタ４７の背面側の面で吸収処理が施されているため、導光板４４から前方に向かって放出された光を吸収処理がされた領域では反射せずに吸収させることができる。これにより、導光板４４に導入される光の光量を領域毎に調整することができ、導光板４４から放出される光の調整を自由に設定することができる。
【００５８】
（５）
本実施の形態１に係る表示装置１００によれば、前面が反射特性を有するスペーサ８１が導光板４４およびＬＥＤバー４６の間における背面側に設けられるため、ＬＥＤバー４６から照射される光をより効率よく導光板４４に導入させることができる。このため、少ない消費電力で多くの光量の光を導光板に導入させることができる。
【００５９】
（実施の形態２）
図６は、実施の形態２に係る、図１中のＡ−Ａ線により切断した表示装置の右側の拡大断面図である。
【００６０】
図６に示すように、実施の形態２に係る表示装置１００ａでは、ＬＥＤバー１４６が実施の形態１のＬＥＤバー４６とは異なる。具体的には、ＬＥＤバー１４６は、ＣＯＢ（Ｃｈｉｐ  Ｏｎ  Ｂｏａｒｄ）型のＬＥＤである。ＬＥＤバー１４６は、光源部１４６ａと、基板部１４６ｂとにより構成される。なお、ＬＥＤバー以外の構成は、実施の形態１と同じであるため、同じ符号を付しその説明を省略する。
【００６１】
本実施の形態２に係る表示装置１００ａによれば、ＣＯＢ型のＬＥＤのような、パッケージ型のＬＥＤよりも広配光特性を有する点光源を有するＬＥＤバー１４６であっても、導光板４４と複数の光学シート４１〜４３との間に配置されたリフレクタ４７およびスペーサ８１により光を反射させることができるため、ＬＥＤバー１４６からの光を効率よく導光板４４に導入させることができる。また、前方から視た場合に、ＬＥＤバー１４６が有する光源部１４６ａ（具体的には、図示しない複数のＬＥＤチップ）から照射される光の配光角がパッケージ型のＬＥＤよりも広い（つまり配光角θが大きい）ため、ミキシング領域Ｚ１を小さくすることができる。このため、パッケージ型のＬＥＤを採用するよりも、狭額縁構造を実現することができる。
【００６２】
（変形例）
（１）
上記実施の形態１、２に係る表示装置１００、１００ａによれば、リフレクタ４７の背面側の面に吸収処理が施されているが、これに限らずに、導光板の前面側に施されていてもよい。つまり、吸収処理は、リフレクタ４７と導光板４４との間の面に施されていれば、いずれの形態であってもよい。
【００６３】
（２）
上記実施の形態１、２に係る表示装置１００、１００ａによれば、特に言及していないが、リフレクタ４７の背面側の面では、ＬＥＤバー４６、１４６のＬＥＤ４６ａまたはＬＥＤチップに対応した位置において最も光を吸収し、かつ、複数のＬＥＤ４６ａまたはＬＥＤチップの中間に対応した位置を最も光を吸収しない（つまり最も光を反射する）ように、吸収処理が施されていてもよい。つまり、リフレクタの背面側の面または導光板の前面側の面において、光を吸収する領域と光を吸収しない領域とがグラデーションとなっている表面処理が施されていてもよい。
【００６４】
（３）
上記実施の形態１、２に係る表示装置１００、１００ａによれば、リフレクタ４７の背面側の面において吸収処理領域４７ａと非吸収処理領域４７ｂとがＹ軸方向に交互に並んでいるが、これに限らずに、吸収処理領域と非吸収処理領域とがＸ軸方向に交互に並んでいてもよい。この場合には、リフレクタの背面側の面において、ＬＥＤバーからの光を吸収する吸収処理が施されているため、例えば、導光板の片側のみにＬＥＤバー４６、１４６が配置される構成であっても、ＬＥＤバー４６、１４６が配置されない側での導光板４４により照射される光の量と、ＬＥＤバー４６、１４６が配置される側での導光板４４により照射される光の量とが同等になるように吸収領域を上記のように配置してもよい。これにより、領域毎における光量を調整することができる。
【００６５】
（４）
また、変形例（３）のような構成は、光源はＬＥＤバー４６、１４６に限らずに、ＣＣＦＬを利用した構成にも適用できる。
【００６６】
（５）
上記実施の形態１、２に係る表示装置１００、１００ａによれば、吸収処理が施される吸収処理領域は、第一反射部材としてのリフレクタ４７と導光板４４との間の面で施されているが、第二反射部材としてのスペーサ８１もしくは反射シート４５と、導光板４４との間の面で施されていてもよい。
【００６７】
（６）
上記実施の形態１、２に係る表示装置１００、１００ａによれば、セルガイド３０は、金属材料からなるが、樹脂で構成されていてもよい。なお、樹脂で構成されるセルガイドを採用する場合には、液晶セル２０およびバックライトユニット４０の外周縁の強度を確保するために、例えば、液晶セル２０の周縁部を補強する金属材料からなる補強部材が設けられることが好ましい。
【産業上の利用可能性】
【００６８】
本発明は、少ない消費電力で高品質な画像を表示させることができる表示装置、特に、液晶ディスプレイ、液晶テレビなどとして有用である。
【符号の説明】
【００６９】
４    筐体
６    リアカバー
１０    フロントキャビネット
１１    フック部
１２    スタンド
２０    液晶セル
３０    セルガイド
４０    バックライトユニット
４１〜４３    光学シート
４４    導光板
４５    反射シート
４６、１４６    ＬＥＤバー
４６ａ    ＬＥＤ
４６ｂ    長尺板状部材
４７    リフレクタ
４７ａ    吸収処理領域
４７ｂ    非吸収処理領域
５０    リアフレーム
５１    開口部
５２    リブ
７１〜７３    クッション部材
８０    ヒートシンク
８０ａ    第一ヒートシンク
８０ｂ    第二ヒートシンク
８１    スペーサ
１００、１００ａ    表示装置
Ｐ１    第一位置
Ｐ２    第二位置
Ｐ１１    頂点
Ｓ１    暗所領域
Ｚ１    ミキシング領域
Ｚ２    輝度均一化領域
【図１】
2015040920.tif 000003
【図２】
2015040920.tif 000004
【図３Ａ】
2015040920.tif 000005
【図３Ｂ】
2015040920.tif 000006
【図４】
2015040920.tif 000007
【図５】
2015040920.tif 000008
【図６】
2015040920.tif 000009